(57)【要約】      （修正有）【課題】組立可能で丈夫なシート製の展示台を提供する。【解決手段】展示台を構成する箱体は、箱本体と、上面が展示用面である天部１２とを備える。支持部材は、主支持部材３１と、主支持部材３１に組み合わされる副支持部材３２とを備える。主支持部材３１は箱本体へ副支持部材３２は天部に夫々設けられる。主支持部材３１は副支持部材３２へ向けて起立する複数の構成片を備える。複数の構成片は、放射状に配列されて放射状体をなす。副支持部材３２は、主支持部材３１へ向けて起立する複数の副構成片３４を備える。複数の副構成片３４は、環状に配列されて環状体をなし、当該環状体は放射状体と略同心に配置され、放射状体と環状体の交差部において、構成片と副構成片３４の切れ込み同士を嵌め合わせる。【選択図】図６
0003190196.tif 000002
【実用新案登録請求の範囲】
【請求項１】
展示物を上に載せて支持するシート製の展示台であって、
中空のシート製の箱体と、前記箱体の内部に配置されるシート製の支持部材とを備え、
前記箱体は、底部及び側部を備え上部が開口する箱本体と、前記箱本体と別体に形成され箱本体の前記上部に配置されて前記開口を覆う天部とを備え、
前記天部の上面が前記展示物を載せる展示用面をなし、
前記支持部材は、前記展示用面に掛る荷重を前記底部へ伝えるものであり、主支持部材と、前記主支持部材と別体に形成されて前記主支持部材に組み合わされる副支持部材とを備え、
前記主支持部材は前記天部下面と前記箱本体内部の何れか一方に設けられ、前記副支持部材は前記天部下面と前記箱本体内部の何れか他の一方に設けられ、
前記主支持部材は、前記天部を箱本体の前記上部に配置した状態において前記副支持部材へ向けて起立する複数の構成片を備え、前記複数の構成片は、平面視において放射状に配列されて放射状体をなし、
前記副支持部材は、前記天部を箱本体の前記上部に配置した状態において前記主支持部材へ向けて起立する複数の副構成片を備え、前記複数の副構成片は、平面視において環状に配列されて環状体をなし、
前記環状体の径は、前記放射状体の径よりも小さいものであり、前記天部を箱本体の前記上部に配置した状態において、前記放射状体と前記環状体とは略同心に配置され、且つ、前記環状体をなす副構成片の夫々は、前記放射状体をなす構成片と交差して交差部を形成するものであり、
前記交差部において、前記構成片と前記副構成片の双方に切れ込みが形成されており、
前記各交差部において、前記構成片と前記副構成片の前記切れ込み同士を嵌め合わせて前記副構成片を前記構成片へ係止することにより、前記主支持部材に前記副支持部材が組み合わされるものであることを特徴とするシート製の展示台。
【請求項２】
前記主支持部材は、前記天部が箱本体の前記上部に配置された状態において前記副支持部材へ向けて起立する、少なくとも２枚の支持片を備え、
前記両支持片に夫々略Ｖ字に折曲されて屈曲部が設けられることにて、前記各支持片は、前記Ｖ字の両翼を構成する２つの構成部分の夫々を前記構成片として備え、前記両Ｖ字の凸側同士が向き合うように配置されることにより平面視において上記放射状体として略Ｘ字を呈するものであり、
前記副支持部材は、前記天部が箱本体の前記上部に配置された状態において前記主支持部材へ向けて起立する、少なくとも４枚の副構成片を備え、
４枚の前記副構成片は、平面視において前記環状体として矩形を呈するように配列され、
前記天部を箱本体の前記上部に配置した状態にて、平面視において前記４枚の副構成片の夫々が主支持部材の前記４つの構成片の夫々と交差することにて、４つの前記交差部が備えられたことを特徴とする請求項１記載のシート製の展示台。
【請求項３】
前記支持部材は、前記両支持片とは別に１枚の基片を備え、前記両支持片は前記基片の一方の面へ起立した状態に固定されて前記Ｘ字を呈するものであり、前記基片は、前記両支持片が固定された面を山折りにする１本の折り目線を備え、前記折り目線は、平面視において両支持片の前記両Ｖ字の内側と前記両折曲部とを通るものであり、
展示台を使用していないとき前記折り目線にて前記基片を二つ折りにし、前記Ｖ字の両翼を構成する前記２つの構成片を、前記屈曲部にて更に折り曲げることにて二つ折りにされた前記基片へ重ねて畳んでおくことが可能な請求項２記載のシート製の展示台。
【請求項４】
前記箱体は、前記側部が夫々前後左右を臨む４つの側面部を備えた、直方体であり、前記箱本体と前記天部の夫々は、平面視において略四角形を呈し、
前記箱本体は１枚の紙片にて構成され、前記底部は前記側面部の夫々から延設された複数の底構成片を備え、前記側部は環状に繋がれて前記側部面同士を重ねた状態に畳むことができ、前記各側面部を折り起こし底部構成片同士を係止し合うことにより前記底部を形成して、前記１枚の紙片を前記箱本体とすることができ、
前記主支持部材は前記箱本体内部に設けられ、前記副支持部材は前記天部の下面に設けられたものであり、
前記基片は、平面視において前記底部に対応する四角形を呈し、
前記両支持片の呈する前記Ｘ字は、基片が呈する前記四角形の対角線に略一致するものであり、
基片の前記一方の面を上にして、前記基片を箱本体の前記底部の上面へ重ねることにより、前記主支持部材を前記箱本体内部へ着脱に設けることができ、
前記副支持部材は、前記４つの副構成片が４辺の夫々から延設された平面視略四角形の固定片を備え、前記固定片が呈する四角形の４つの頂点を天部の前記四角形の４つの辺の各中点に略位置するよう、前記固定片を前記天部の下面に重ねて固定したものであり、
前記固定片から前記４つの副構成片を折り起こすことにより、平面視において前記副構成片同士が前記矩形を呈するものであり、
前記箱本体と前記天部とが呈する夫々の前記四角形が一致するよう前記箱本体の上部へ前記天部を配置し、各構成片の前記切れ込みの夫々を副構成片の前記切れ込みの夫々に嵌め合わせることにて、副構成片同士が呈する前記矩形を前記箱本体の呈する四角形に略内接させることができる請求項３記載のシート製の展示台。
【請求項５】
前記Ｖ字を呈する両構成片の基端の夫々には、前記基片へ前記構成片を糊付けする糊代片が延設され、平面視において前記両糊代片は前記Ｖに沿って前記Ｖ字の外側へ配置されたものであり、
前記天部は、平面視略四角形の天面部と、前記天面部が呈する正方形の４つの辺の夫々から延設された４つの縁片とを備え、
前記４つの副構成片の夫々の先端辺には、前記切れ込みと共に前記切れ込みに隣接して、副構成片の基端側に向けて後退する後退部が設けられ、
前記各副構成片の夫々は、両隣りの前記副構成片と対応する両側辺に切欠部を備え、前記切欠部は、前記両側辺の基端から下方に向けて伸び、
前記天部を前記箱本体の上部に配置した際、前記縁片は折り起こされ前記開口における前記天面部と前記各側面部との間から箱本体内に挿入されて前記切欠部に受容され、且つ、前記後退部に前記糊代片が受容されることを特徴とする請求項４記載のシート製の展示台。
【請求項６】
前記箱本体、前記天面部及び前記基辺の夫々は、平面視略正方形を呈し、前記副構成片は、４つの角が前記箱本体の各側面部の内側面へ接する平面視略正方形を呈することを特徴とする請求項５記載のシート製の展示台。
【請求項７】
前記箱体と前記支持部材との少なくもと何れか一方が紙製であることを特徴とする請求項１〜６に記載のシート製の展示台。
【考案の詳細な説明】
【技術分野】
【０００１】
本願考案は、紙製などのシート製の展示台の改良に関するものである。
【背景技術】
【０００２】
一般に、シート製の展示台としては、従来から種々のものが提案されている（特許文献１〜４）。
例えば特許文献１のトップオープン式の紙箱や特許文献２（公報図７）へ示す二重箱のように、包装容器の一部を取り除き、そのまま店頭などにて内容物を展示物として展示することができるものが散見される。
しかし、特許文献１及び２の包装容器は、展示よりも寧ろ包装容器としての機能が主であり、展示について中途半端である。即ち特許文献１及び２へ示すものでは、残存する包装容器の一部が邪魔になり、展示物を十分に露出させるのは困難である。
また、特許文献３（公報図１１）に示すディスプレイ台のように、組立ての簡便さと強度とを考慮しつつ、展示物を傾斜面に沿わせた設けた切り抜きに嵌着して展示を行うものが提案されている。
しかし、特許文献３へ示されたものでは、前記嵌着された展示物の背面は完全に隠れて後ろに回っても見ることができない部分が生じる。
このため、特許文献３に示すディスプレイ台は、長細い不安定な形状の展示物には適するものの、形状が安定して自立できる展示物には好まれない。
【０００３】
一方、特許文献４へ示す組立式展示台では、展示物を床板２０（公報図１）の上に載せて支持し、展示物を目立つ高い位置に支持することができ、展示物に対して前記床板２０を広いものとしたり、床板２０の周囲に配置する構成部材を極力排除することにより、展示物の十分な露出が期待できる。
【先行技術文献】
【特許文献】
【０００４】
【特許文献１】特開２００５−１８６９８２号公報
【特許文献２】実用新案登録第３１８１２７５号公報
【特許文献３】実用新案登録第３０３５３９９号公報
【特許文献４】特開２０１１−３６４号公報
【考案の概要】
【考案が解決しようとする課題】
【０００５】
上記の特許文献４へ示す組立式展示台では、上記の床板２０の下方に補強部材３０を設けて、組立式展示台の床板２０から下方に掛る荷重を受けるように工夫がなされている（公報図２）。
上記補強部材３０は、切れ込みを設けた２枚の紙片を嵌め合わせて、平面視四角形の展示台の中心（平面視において当該四角形の２本の対角線の交差点）で２枚の補強板３１，３２が交差する、平面視Ｘ字型に形成される（公報図２の補強板３１，３２）。
特許文献４において、補強部材３０の補強板３１，３２の上記Ｘ字を保持するのは、矩形の上記床板２０の４辺から下方へ折り起こされた側片と、床板２０の当該４枚の側片を拘束する展示台１胴部１０の内側の面のみである。
本願考案者は、特許文献４に示す組立式展示台とは異なる新たな支持構造にて、展示物の支持強度を向上させることができないか鋭意研究の末、本願考案を創作した。
即ち、本願考案は、展示台の上部に展示物を載せて展示物の下方にて展示物の荷重を受けるタイプのシート製の展示台において、従来に無い斬新な、展示物の支持構造の提供を図る。
【課題を解決するための手段】
【０００６】
本願考案は、展示物を上に載せて支持するシート製の展示台であって、中空のシート製の箱体と、前記箱体の内部に配置されるシート製の支持部材とを備え、前記箱体は、底部及び側部を備え上部が開口する箱本体と、前記箱本体と別体に形成され箱本体の前記上部に配置されて前記開口を覆う天部とを備え、前記天部の上面が前記展示物を載せる展示用面をなし、前記支持部材は、記展示用面に掛る荷重を前記底部へ伝えるものであり、主支持部材と、前記主支持部材と別体に形成されて前記主支持部材に組み合わされる副支持部材とを備え、前前記主支持部材は前記天部下面と前記箱本体内部の何れか一方に設けられ、前記副支持部材は前記天部下面と前記箱本体内部の何れか他の一方に設けられ、前記主支持部材は、前記天部を箱本体の前記上部に配置した状態において前記副支持部材へ向けて起立する複数の構成片を備え、前記複数の構成片は、平面視において放射状に配列されて放射状体をなし、前記副支持部材は、前記天部を箱本体の前記上部に配置した状態において前記主支持部材へ向けて起立する複数の副構成片を備え、前記複数の副構成片は、平面視において環状に配列されて環状体をなし、前記環状体の径は、前記放射状体の径よりも小さいものであり、前記天部を箱本体の前記上部に配置した状態において、前記放射状体と前記環状体とは略同心に配置され、且つ、前記環状体をなす副構成片の夫々は、前記放射状体をなす構成片と交差して交差部を形成するものであり、前記交差部において、前記構成片と前記副構成片の双方に切れ込みが形成されており、前記各交差部において、前記構成片と前記副構成片の前記切れ込み同士を嵌め合わせて前記副構成片を前記構成片へ係止することにより、前記主支持部材に前記副支持部材が組み合わされるシート製の展示台を提供する。
また、本願考案では、前記主支持部材は、前記天部が箱本体の前記上部に配置された状態において前記副支持部材へ向けて起立する、少なくとも２枚の支持片を備え、前記両支持片に夫々略Ｖ字に折曲されて屈曲部が設けられることにて、前記各支持片は、前記Ｖ字の両翼を構成する２つの構成部分の夫々を前記構成片として備え、前記両Ｖ字の凸側同士が向き合うように配置されることにより平面視において上記放射状体として略Ｘ字を呈するものであり、前記副支持部材は、前記天部が箱本体の前記上部に配置された状態において前記主支持部材へ向けて起立する、少なくとも４枚の副構成片を備え、４枚の前記副構成片は、平面視において前記環状体として矩形を呈するように配列され、前記天部を箱本体の前記上部に配置した状態にて、平面視において前記４枚の副構成片の夫々が主支持部材の前記４つの構成片の夫々と交差することにて、４つの前記交差部が備えられたシート製の展示台を提供できた。
更に本願考案では、前記支持部材は、前記両支持片とは別に１枚の基片を備え、前記両支持片は前記基片の一方の面へ起立した状態に固定されて前記Ｘ字を呈するものであり、前記基片は、前記両支持片が固定された面を山折りにする１本の折り目線を備え、前記折り目線は、平面視において両支持片の前記両Ｖ字の内側と前記両折曲部とを通るものであり、展示台を使用していないとき前記折り目線にて前記基片を二つ折りにし、前記Ｖ字の両翼を構成する前記２つの構成片を、前記屈曲部にて更に折り曲げることにて二つ折りにされた前記基片へ重ねて畳んでおくことが可能なシート製の展示台を提供できた。
また更に本願考案では、前記箱体は、前記側部が夫々前後左右を臨む４つの側面部を備えた、直方体であり、前記箱本体と前記天部の夫々は、平面視において略四角形を呈し、  前記箱本体は１枚の紙片にて構成され、前記底部は前記側面部の夫々から延設された複数の底構成片を備え、前記側部は環状に繋がれて前記側部面同士を重ねた状態に畳むことができ、前記各側面部を折り起こし底部構成片同士を係止し合うことにより前記底部を形成して、前記１枚の紙片を前記箱本体とすることができ、前記主支持部材は前記箱本体内部に設けられ、前記副支持部材は前記天部の下面に設けられたものであり、前記基片は、平面視において前記底部に対応する四角形を呈し、前記両支持片の呈する前記Ｘ字は、基片が呈する前記四角形の対角線に略一致するものであり、基片の前記一方の面を上にして、前記基片を箱本体の前記底部の上面へ重ねることにより、前記主支持部材を前記箱本体内部へ着脱に設けることができ、前記副支持部材は、前記４つの副構成片が４辺の夫々から延設された平面視略四角形の固定片を備え、前記固定片が呈する四角形の４つの頂点を天部の前記四角形の４つの辺の各中点に略位置するよう、前記固定片を前記天部の下面に重ねて固定したものであり、前記固定片から前記４つの副構成片を折り起こすことにより、平面視において前記副構成片同士が前記矩形を呈するものであり、前記箱本体と前記天部とが呈する夫々の前記四角形が一致するよう前記箱本体の上部へ前記天部を配置し、各構成片の前記切れ込みの夫々を副構成片の前記切れ込みの夫々に嵌め合わせることにて、副構成片同士が呈する前記矩形を前記箱本体の呈する四角形に略内接させることができるシート製の展示台を提供できた。
更にまた、本願考案では、前記Ｖ字を呈する両構成片の基端の夫々には、前記基片へ前記構成片を糊付けする糊代片が延設され、平面視において前記両糊代片は前記Ｖに沿って前記Ｖ字の外側へ配置されたものであり、前記天部は、平面視略四角形の天面部と、前記天面部が呈する正方形の４つの辺の夫々から延設された４つの縁片とを備え、前記４つの副構成片の夫々の先端辺には、前記切れ込みと共に前記切れ込みに隣接して、副構成片の基端側に向けて後退する後退部が設けられ、前記各副構成片の夫々は、両隣りの前記副構成片と対応する両側辺に切欠部を備え、前記切欠部は、前記両側辺の基端から下方に向けて伸び、前記天部を前記箱本体の上部に配置した際、前記縁片は折り起こされ前記開口における前記天面部と前記各側面部との間から箱本体内に挿入されて前記切欠部に受容され、且つ、前記後退部に前記糊代片が受容されるシート製の展示台を提供できた。
また、本願考案では、前記箱本体、前記天面部及び前記基辺の夫々は、平面視略正方形を呈し、前記副構成片は、４つの角が前記箱本体の各側面部の内側面へ接する平面視略正方形を呈するシート製の展示台を提供できた。
【考案の効果】
【０００７】
本願考案は、従来にない斬新な支持構造を備えたシート製の展示台を提供できた。
また、上記支持部材にて展示台は、簡単な組み立て作業にて、比較的大きな荷重に耐えるシート製の展示台を提供することができた。即ち、本願考案において、主支持部材の呈する上記放射状体と副支持部材の呈する環状体とを略同心に配することによって、当該放射状体を形成する各構成片へ、環状体を形成する各副構成片を、交差した状態に嵌め合わせて、強靭な支持構造を形成できたものである。
特に、上記Ｘ字をなす４つの構成部と、矩形の辺なす上記４つの副支持部材とを、前後及び左右における箱本体の中心（箱本体が平面視四角形の場合２本の対角線の交差点）を取り囲む、少なくとも４か所で交差させて嵌め合うことにて、極めて丈夫なシート製の展示台を提供できた。
例えば、梱包に用いられる一般的なボール紙を用いて上記支持部材を形成する場合、１０〜２０ｋｇ前後の展示物の展示にも耐える展示台を提供することができる。勿論、ボール紙の厚みや構造を変化させたり、素材を変更することによって、その強度を変化させることも可能である。
また本願考案に係るシート製展示台は、分解が可能であり、当該分解にて嵩を極めて小さくでき、発送に便利である。
より具体的には、主支持部材から副支持部材を分離することができ、分離した主支持部材を箱本体から取り出して、基片を二つ折りに折り畳むと共に両構成片を基片へ重ねて畳むことができる。箱本体も底部を底部構成片として伸ばし、環状に配された側面部同士を重ねて畳むことができる。また、天部も固定された副支持部材の副構成片を伸ばすと共に、縁片を伸ばして、高さを２枚の紙片分の厚みに抑えることができる。
また、箱体を平面視において正方形を呈するように形成することによって、長方形とする場合のように長辺と短辺の位置に拘束されずに、箱本体に対し天部を取り付けることができる。
【図面の簡単な説明】
【０００８】
【図１】本願考案の一実施の形態に係る展示台の使用状態を示す斜視図。
【図２】（Ａ）は図１の展示台における箱本体の展開平面図、（Ｂ）は図１の展示台における天部の展開平面図。
【図３】（Ａ）は図１の展示台の主支持部材の分解状態を示す展開平面図、（Ｂ）は（Ａ）の主支持部材の組み立て状態を示す平面図、（Ｃ）は（Ｂ）の主支持部材の折り畳み状態を示す平面図。
【図４】（Ａ）は図１の展示台の副支持部材の展開平面図、（Ｂ）は（Ａ）の副支持部材を天部下面へ取り付けた状態を示す展開平面図。
【図５】箱本体へ図３（Ｂ）の主支持部材を挿入する直前の状態を示す図１の展示台の要部の分解斜視図。
【図６】図５の主支持部材を収容した箱本体へ、副支持部材が取り付けられた図４（Ｂ）の天部を配置する直前の状態を示す図１の展示台の分解斜視図。
【図７】（Ａ）は図６において箱本体と天部とを取り除いた主支持部材と副支持部材の組み合わせ前の分解斜視図、（Ｂ）は組み合わせ後の主支持部材と副支持部材との位置関係を示す箱本体１１の平面図。
【考案を実施するための形態】
【０００９】
以下、図面に基づき本願考案の実施の形態を説明する。
（概要）
図１及び図６へ示す通り、この展示台は、展示物２を上に載せて支持するシート製の展示台１である。展示台は、中空のシート製の箱体１と、箱体１の内部に配置されるシート製の支持部材３とを備える。シートは、紙製の他、紙と合成樹脂シートや、さらに金属箔との複合材料製やであってもよく、プラダン等の紙以外のシートであってもよい。
【００１０】
（箱体１）
箱体１は、箱本体１１と、箱本体１１と別体に形成された天部１２とを備える。
この例では、箱体１は、図１へ示す通り直方体である。特にこの例では、平面視において、略正方形を呈する。
【００１１】
（箱本体１１）
箱本体１１は、底部１３及び側部を備える。箱本体１１の上部は開口している。図５及び図６の１６は当該開口を示す。
上記の側部は、四角形の底部１３の４辺から上方に立ち上がる、正面部と左側面部と右側面部と背面部の４つの側面部１４にて構成される。
箱本体１の具体例を図２（Ａ）へ示す。
箱本体１は、図２（Ａ）へ示す１枚の紙片からなる。図２（Ａ）は組み立て後、箱本体１の内側となる面を示している。図２（Ａ）の一点鎖線は、谷折りにされる折り目線（以下谷折り目線と呼ぶ。）を示している。
４つの側面部片１４ａが互いに谷折り目線１４ｃを介して一列に即ち帯状に連なっている。帯状に連なる上記側面部片１４ａ群の一端には、谷折り目線１４ｅを介して糊付け用片が設けられている。この糊付け用片を、帯状に連なる上記側面部片１４ａ群の他の一端に、糊付けして側面部片１４ａ群を環状に繋ぐことができる。
【００１２】
図２（Ａ）にて上下縦に描かれた帯状の上記側面部片１４ａ群において、最上部に位置する側面部片 １４ａの基端側（図２（Ａ）の左側）には谷折り目線１４ｇを介して差込片１３ｄが、上から二番目の側面部片１４ａの基端側（図２（Ａ）の左側）には谷折り目線１４ｈを介して差込副片１３ｂが、上から三番目の側面部片１４ａの基端側（図２（Ａ）の左側）には谷折り目線１４ｆを介して被差込片１３ａが、一番下の側面部片１４ａの基端側（図２（Ａ）の左側）には谷折り目線１４ｉを介して差込副片１３ｃが、夫々延設されている。
差込主片１３ｄは先端側（図２（Ａ）の左側）に向けて先細りとなり、先端部が差し込み部分を構成する。被差込片１３ａは先端辺（図２（Ａ）の左端）において基端側（図２（Ａ）の右側）へ後退する後退部分が設けられている。被差込片１３ａの両隣に位置する上記両差込副片１３ｂ，１３ｃの夫々は、被差込片１３ａを臨む側辺が、基端側から先端側（図２（Ａ）の右側から左側）へ向うにつれて被差込片１３ａとの間隔を大きくする斜辺と、当該斜辺の先端側において被差込片１３ａに向けて突出する舌辺とを備える。
また上記各側面部１４ａの先端側（右側）には、夫々谷折り目線１４ｂを介して縁片１４ｂが設けられている。
【００１３】
上記の谷折り目線１４ｃの夫々にて図２（Ａ）の紙片を谷折りにして、側面部片１４ａを折り起こすことによって、各側面部片１４ａを図５へ示す側面部１４とすることができる。そして、上記紙片を谷折り目線１４ｆ，１４ｇ，１４ｈ，１４ｉにて谷折りにし、図５へ示す通り、差込片１３ｄの先端部を、被差込片１３ａの上記後退部分から被差込片１３ｄの上面へ重ね、更に両差込副片１３ｂ，１３ｃの上記舌辺側を被差込片１３ａの先端部の上に重ねることよって、上記底部１３を形成する。即ち、被差込片１３ａ、差込片１３ｄ及び両差込副片１３ｂ，１３ｃの夫々は、底部１３を構成する底構成片である。
上記にて一枚の紙片から、図１及び図５へ示す箱本体１１を形成することができる。
但し、箱本体１には、図示した構成のものに限定するものではなく、周知の他の構成を採るものを採用することができる。
【００１４】
（天部１２）
天部１２は、図１へ示す通り、箱本体１１の上部に配置されて開口を覆うものである。
天部１２は、平面視略四角形の天面部１２ａと、天面部１２ａが呈する正方形の４つの辺の夫々から延設された４つの縁片１２ｂとを備える。
天部１２において天面部１２ａの上面が展示物を載せる展示用面をなすものである。
【００１５】
（支持部材３）
支持部材３は、図６へ示す通り、箱体１の内部に配置されるシート製の部材である。
支持部材３は、展示用面に掛る荷重を前記底部へ伝えるものである。支持部材３は、主支持部材３１と、主支持部材３１と別体に形成されて主支持部材３１に組み合わされる副支持部材３２とを備える。支持部材３１と副支持部材３２とが組み合わされた状態において、支持部材３の上下の高さは、箱体１の底部１３と天部１２との間の幅とほぼ同じである。
この例では、主支持部材３１は箱本体１内部に配置され、副支持部材３２は天部１２（天面部１２ａ）の下面に糊付けされている。
【００１６】
（主支持部材３１）
主支持部材３１は、天部１３を箱本体１１の上部に配置した状態において副支持部材３２へ向けて起立する複数の構成片３３を備える。複数の構成片３３は、平面視において放射状に配列されて放射状体をなすものである。
この例では、図３（Ａ）へ分解状態を示す通り、主支持部材３１は、２枚の支持片３３ａ，３３ｂと、平面視略正方形の１枚の基片３５を備える。基片３５の呈する正方形は、箱体１１の内部にて底部１３が呈する正方形とほぼ等しいか若干小さい。
【００１７】
２枚の支持片３３ａ，３３ｂは、天部１２が箱本体１１の上部に配置された状態において副支持部材３２へ向けて起立した状態となるよう、基片３５上面へ糊付けにより固定されている。両支持片３３ａ，３３ｂに夫々略Ｖ字に折曲されて屈曲部３３ｃが設けられる。各支持片３３ａ，３３ｂは、前記Ｖ字の両翼を構成する２つの構成部分の夫々を前記構成片３３として備える。図３（Ｂ）へ示す通り、両Ｖ字の凸側同士が向き合うように配置されることにより平面視において上記放射状体として略Ｘ字を呈する。即ち、両支持片３３ａ，３３ｂは基片３５の一方の面へ起立した状態に固定されて上記のＸ字を呈する。
【００１８】
両支持片３３ａ，３３ｂの呈する前記Ｘ字は、基片３５が呈する前記四角形の対角線に略一致するものであり、基片３５の一方の面を上にして、基片３５を箱本体１１の底部１３の上面へ重ねることにより、主支持部材３１を箱本体１１内部へ着脱に配置することができる。
図３（Ｂ）へ示す通り、前記Ｖ字を呈する両構成片３３，３３の基端の夫々には、基片３５へ構成片３３，３３を糊付けする糊代片３６が延設され、平面視において両糊代片３６は前記Ｖ字に沿って前記Ｖ字の外側へ配置されている。
図３（Ａ）（Ｂ）の基片３５において、濃色の灰色部分が上記一方の支持片３３ａの糊付け位置を示し、淡色の灰色部分が他の一方の支持片３３ｂの糊付け位置を示している。
【００１９】
上記の基片３５は、図３（Ａ）へ示す通り、両支持片３３ａ，３３ｂが固定された面を山折りにする１本の折り目線（山折り目線３５ａ）を備える。山折り目線３５ａは、平面視において両支持片３３ａ，３３ｂの前記両Ｖ字の内側と両折曲部３３ｃとを通るものである。図３（Ａ）へ示す通り、展示台を使用していないとき山折り目線３５ａにて基片３５を二つ折りにし、前記Ｖ字の両翼を構成する２つの構成片３３を、前記屈曲部にて更に折り曲げることにて二つ折りにされた基片３５へ重ねて畳んでおくことができる。
【００２０】
上記各構成片３３の上端辺即ち、支持片３３ａ，３３ｂの先端辺には、後述する交差部ｐとなる位置に切れ込み４が形成されている。
【００２１】
（副支持部材３２）
副支持部材３２は、天部１２を箱本体１１の上部に配置した状態において主支持部材３１へ向けて起立する複数の副構成片３４を備える。複数の副構成片３４は、平面視において環状に配列されて環状体をなし、前記環状体の最大径は、前記放射状体の最大径よりも小さい。
【００２２】
図７（Ｂ）へ示す通り、天部１２を箱本体１１の上部に配置した状態において、前記環状体をなす副構成片３４の夫々は、前記放射状体と前記環状体とを略同心に配置される。当該配置により、副構成片３４の夫々は、前記放射状体をなす構成片３３と交差して交差部ｐを形成する。図３（Ａ）（Ｃ）、図４、図６及び図７（Ａ）（Ｂ）へ示す通り、交差部ｐにおいて、前述の構成片３３の切れ込み４と同様、副構成片３４に切れ込み５が形成されている。各交差部ｐにおいて、構成片３３と副構成片３４の切れ込み４，５同士を嵌め合わせて副構成片３４を構成片３３へ係止することにより、主支持部材３１に副支持部材３２を、組み付けることでがきる。
この例では、副支持部材３４は、天部１２が箱本体１１の上部に配置された状態において主支持部材３３へ向けて（下方に）起立する、４枚の副構成片３４を備える。４枚の副構成片３４は、平面視において前記環状体として矩形を呈するように配列され、天部１２を箱本体１１の上部に配置した状態にて、平面視において４枚の副構成片３４の夫々が主支持部材３３の４つの構成片３３の夫々と交差する。
【００２３】
より具体的には、図４（Ａ）へ示す通り、副支持部材３２は、４つの副構成片３４が４辺の夫々から延設された平面視略四角形の固定片３７を備え、図４（Ｂ）へ示す通り、固定片３７が呈する四角形の４つの頂点を天部の前記四角形の４つの辺の各中点に略位置するよう、固定片３７を天部１２の天面部１２ａの下面に重ねて固定したものである。固定片３７から４つの副構成片３４を、図６及び図７（Ａ）へ示す通り折り起こすことにより、平面視において副構成片３４同士が前記矩形を呈する。そして、箱本体１１と天部１２の天面部１２ａが呈する夫々の前記四角形が一致するよう箱本体１１の上部へ天部１２を配置し、各構成片３３の切れ込み４の夫々を副構成片３４の切れ込み５の夫々に嵌め合わせることにて、図７（Ｂ）へ示す通り、副構成片３４同士が呈する前記矩形の角の夫々を箱本体１１の各側面部１４の内側面へ当接させることができる。この当接により、展示台をより変形しにくいものとすることができる。
【００２４】
図４、図６及び図７へ示す通り、４つの副構成片３４の夫々の先端辺には、切れ込み５と共に切れ込み５に隣接して、副構成片３４の基端側に向けて後退する後退部３８が設けられ、各副構成片３４の夫々は、両隣りの副構成片３４と対応する両側辺に切欠部３９を備える。切欠部３９は、前記両側辺の基端から下方に向けて伸びる。
一方、天部１２を箱本体１１の上部に配置した際、縁片１２ｂは折り起こされ開口１６における天面部１２ａと各側面部１４との間から箱本体１１内に挿入されて切欠部３９に受容される。そして、後退部３８に糊代片３６が受容される。
従って、後退部３８を、少なくとも糊代片３６の厚み分後退するものとするのが好ましい。また、切欠部５は、前記両側辺の基端から下方に向けて少なくとも縁片１２ｂにおける天面部１２ａからの突出幅分の長さを備えるものとするのが好ましい。
【００２５】
（変更例）
図示した例では、主支持部材３１箱本体１１側に配置され、副支持部材３２部１２へ取り付けられるものとした。この他、副支持部材３２本体１１側に配置され、主支持部材３１部１２へ取り付けられるものとしても実施できる。
また、上記放射状体は、４つの構成片にて上記のＸ字に形成する他、３つの構成片にて三方に伸びるもの、或いは５つ以上の構成片にて、五方以上の向きに伸びるものとしても実施できる。また、放射状体の上記変更に伴い、上記環状体も上記四角形に限らず、三角形や、５角形以上の多角形或いは円形として実施することができる。
【００２６】
箱体１は、上記の例では、平面視において、正方形を呈するものとした。この他、箱体１は、平面視において長方形や他の多角形を呈するものとしても実施できる。また、箱体１は、円筒状のものとしても実施できる。箱体１を円筒とする場合、平面視において正円を呈するものの他楕円を呈するものとすることができる。また、箱体１は、平面視において、他の曲線的形状や、多角形と曲線とが複合した形状を持つものとしても実施できる。
【符号の説明】
【００２７】
１      箱体
２      展示物
３      支持部材
４      切れ込み
５      切れ込み
１１      箱本体
１２      天部
１２ａ    天面部
１２ｂ    縁片
１３      底部
１４      側面部
３１      主支持部材
３２      副支持部材
３３      構成片
３３ａ    支持片
３３ｂ    支持片
３４      副構成片
３５      基片
３５ａ  （基片３５の）山折り目線
【図１】
0003190196.tif 000003
【図２】
0003190196.tif 000004
【図３】
0003190196.tif 000005
【図４】
0003190196.tif 000006
【図５】
0003190196.tif 000007
【図６】
0003190196.tif 000008
【図７】
0003190196.tif 000009
【手続補正書】
【提出日】平成25年12月25日(2013.12.25)
【手続補正１】
【補正対象書類名】実用新案登録請求の範囲
【補正対象項目名】全文
【補正方法】変更
【補正の内容】
【実用新案登録請求の範囲】
【請求項１】
展示物を上に載せて支持するシート製の展示台であって、
中空のシート製の箱体と、前記箱体の内部に配置されるシート製の支持部材とを備え、
前記箱体は、底部及び側部を備え上部が開口する箱本体と、前記箱本体と別体に形成され箱本体の前記上部に配置されて前記開口を覆う天部とを備え、
前記天部の上面が前記展示物を載せる展示用面をなし、
前記支持部材は、前記展示用面に掛る荷重を前記底部へ伝えるものであり、主支持部材と、前記主支持部材と別体に形成されて前記主支持部材に組み合わされる副支持部材とを備え、
前記主支持部材は前記天部下面と前記箱本体内部の何れか一方に設けられ、前記副支持部材は前記天部下面と前記箱本体内部の何れか他の一方に設けられ、
前記主支持部材は、前記天部を箱本体の前記上部に配置した状態において前記副支持部材へ向けて起立する複数の構成片を備え、前記複数の構成片は、平面視において放射状に配列されて放射状体をなし、
前記副支持部材は、前記天部を箱本体の前記上部に配置した状態において前記主支持部材へ向けて起立する複数の副構成片を備え、前記複数の副構成片は、平面視において環状に配列されて環状体をなし、
前記環状体の径は、前記放射状体の径よりも小さいものであり、前記天部を箱本体の前記上部に配置した状態において、前記放射状体と前記環状体とは略同心に配置され、且つ、前記環状体をなす副構成片の夫々は、前記放射状体をなす構成片と交差して交差部を形成するものであり、
前記交差部において、前記構成片と前記副構成片の双方に切れ込みが形成されており、
前記各交差部において、前記構成片と前記副構成片の前記切れ込み同士を嵌め合わせて前記副構成片を前記構成片へ係止することにより、前記主支持部材に前記副支持部材が組み合わされるものであることを特徴とするシート製の展示台。
【請求項２】
前記主支持部材は、前記天部が箱本体の前記上部に配置された状態において前記副支持部材へ向けて起立する、少なくとも２枚の支持片を備え、
前記両支持片に夫々略Ｖ字に折曲されて屈曲部が設けられることにて、前記各支持片は、前記Ｖ字の両翼を構成する２つの構成部分の夫々を前記構成片として備え、前記両Ｖ字の凸側同士が向き合うように配置されることにより平面視において上記放射状体として略Ｘ字を呈するものであり、
前記副支持部材は、前記天部が箱本体の前記上部に配置された状態において前記主支持部材へ向けて起立する、少なくとも４枚の副構成片を備え、
４枚の前記副構成片は、平面視において前記環状体として矩形を呈するように配列され、
前記天部を箱本体の前記上部に配置した状態にて、平面視において前記４枚の副構成片の夫々が主支持部材の前記４つの構成片の夫々と交差することにて、４つの前記交差部が備えられたことを特徴とする請求項１記載のシート製の展示台。
【請求項３】
前記支持部材は、前記両支持片とは別に１枚の基片を備え、前記両支持片は前記基片の一方の面へ起立した状態に固定されて前記Ｘ字を呈するものであり、前記基片は、前記両支持片が固定された面を山折りにする１本の折り目線を備え、前記折り目線は、平面視において両支持片の前記両Ｖ字の内側と前記両折曲部とを通るものであり、
展示台を使用していないとき前記折り目線にて前記基片を二つ折りにし、前記Ｖ字の両翼を構成する前記２つの構成片を、前記屈曲部にて更に折り曲げることにて二つ折りにされた前記基片へ重ねて畳んでおくことが可能な請求項２記載のシート製の展示台。
【請求項４】
前記箱体は、前記側部が夫々前後左右を臨む４つの側面部を備えた、直方体であり、前記箱本体と前記天部の夫々は、平面視において略四角形を呈し、
前記箱本体は１枚の紙片にて構成され、前記底部は前記側面部の夫々から延設された複数の底構成片を備え、前記側部は環状に繋がれて前記側部面同士を重ねた状態に畳むことができ、前記各側面部を折り起こし底部構成片同士を係止し合うことにより前記底部を形成して、前記１枚の紙片を前記箱本体とすることができ、
前記主支持部材は前記箱本体内部に設けられ、前記副支持部材は前記天部の下面に設けられたものであり、
前記基片は、平面視において前記底部に対応する四角形を呈し、
前記両支持片の呈する前記Ｘ字は、基片が呈する前記四角形の対角線に略一致するものであり、
基片の前記一方の面を上にして、前記基片を箱本体の前記底部の上面へ重ねることにより、前記主支持部材を前記箱本体内部へ着脱に設けることができ、
前記副支持部材は、前記４つの副構成片が４辺の夫々から延設された平面視略四角形の固定片を備え、前記固定片が呈する四角形の４つの頂点を天部の前記四角形の４つの辺の各中点に略位置するよう、前記固定片を前記天部の下面に重ねて固定したものであり、
前記固定片から前記４つの副構成片を折り起こすことにより、平面視において前記副構成片同士が前記矩形を呈するものであり、
前記箱本体と前記天部とが呈する夫々の前記四角形が一致するよう前記箱本体の上部へ前記天部を配置し、各構成片の前記切れ込みの夫々を副構成片の前記切れ込みの夫々に嵌め合わせることにて、副構成片同士が呈する前記矩形を前記箱本体の呈する四角形に略内接させることができる請求項３記載のシート製の展示台。
【請求項５】
前記Ｖ字を呈する両構成片の基端の夫々には、前記基片へ前記構成片を糊付けする糊代片が延設され、平面視において前記両糊代片は前記Ｖ字に沿って前記Ｖ字の外側へ配置されたものであり、
前記天部は、平面視略四角形の天面部と、前記天面部が呈する正方形の４つの辺の夫々から延設された４つの縁片とを備え、
前記４つの副構成片の夫々の先端辺には、前記切れ込みと共に前記切れ込みに隣接して、副構成片の基端側に向けて後退する後退部が設けられ、
前記各副構成片の夫々は、両隣りの前記副構成片と対応する両側辺に切欠部を備え、前記切欠部は、前記両側辺の基端から下方に向けて伸び、
前記天部を前記箱本体の上部に配置した際、前記縁片は折り起こされ前記開口における前記天面部と前記各側面部との間から箱本体内に挿入されて前記切欠部に受容され、且つ、前記後退部に前記糊代片が受容されることを特徴とする請求項４記載のシート製の展示台。
【請求項６】
前記箱本体、前記天面部及び前記基辺の夫々は、平面視略正方形を呈し、前記副構成片は、４つの角が前記箱本体の各側面部の内側面へ接する平面視略正方形を呈することを特徴とする請求項５記載のシート製の展示台。
【請求項７】
前記箱体と前記支持部材との少なくとも何れか一方が紙製であることを特徴とする請求項１〜６のいずれか一項に記載のシート製の展示台。